(57)【要約】【課題】腕時計のバンドで、人の肌にアレルギー症状を呈する問題を解決する。【解決手段】腕時計用バンドに人の肌にアレルギーを生じさせない材料（例とえば、トルマリン石）を数珠状に配置してバンド状を形成することによって、これらの問題点を解決する。そのためには、耐久性、伸縮性などに優れた糸状のポリウレタン弾性繊維で使用部品（使用物体）を一体化形成してバンドを形成する。その際、ファッション性を増すために、取付具を腕時計ケースに隠れる構造とする。【選択図】        図１
2005040375.tif 000002
【特許請求の範囲】
【請求項１】
腕時計用バンド（１）において、
略直方体、球体、円柱体、半球体、半円柱体などの形状の各種部品の少なくとも一種と取付具（２）に孔（５、５１、５２、５３）を空け、
これらの前記各種部品を数珠状に配置してその端に前記取付具（２）を配置し、
これらの前記各種部品と前記取付具（２）に糸状の弾性繊維（６）を挿通すことによって一体化してバンド（１）を形成し、
前記取付具（２）は、時計ケース（１１）に隠れて表側からは見えにくい状態とする
ことを特徴とする腕時計用バンド。
【請求項２】
請求項１において、
略直方体、球体、円柱体、半球体、半円柱体などの形状の前記各種部品又は前記取付具（２）のうち、少なくとも１種をトルマリン石で形成する
ことを特徴とする腕時計用バンド。
【請求項３】
請求項１において、
前記取付具（２）の材料として貴石、貴金属、象牙などの非アレルギー物質を使用する
ことを特徴とする腕時計用バンド。
【請求項４】
請求項１において、
略直方体、球体、円柱体、半球体、半円柱体などの形状の前記各種部品又は前記取付具（２）のうち、少なくとも１種を貴石、貴金属、象牙などの非アレルギー物質で形成する
ことを特徴とする腕時計用バンド。
【請求項５】
腕時計用バンド（１）の取付具（２）において、
バネ棒（９）を貫通する孔（５１）を形成するとともに、
外方にさらされた開口部（２２２）と孔（５２，５３）で、糸状の弾性繊維（６）が前記取付具（２）内をコの字状に配糸する挿通孔（５２，５３，５５を有する
ことを特徴とする腕時計用バンドの取付具。
【請求項６】
請求項５において、
前記孔（５１）の入り口付近に窪（５４）を有する
ことを特徴とする腕時計用バンドの取付具。
【請求項７】
腕時計ケース（１１）において、
略直方体、球体、円柱体、半球体、半円柱体などの形状の各種部品の少なくとも一種と取付具（２）などに孔（５、５１、５２、５３）を空け、これらの前記各種部品を数珠状に配置してその端に前記取付具（２）を配置し、これらの前記各種部品と前記取付具（２）に糸状の弾性繊維（６）を挿通すことによって一体化形成した腕時計用バンド（１）を腕時計ケース（１１）に取付ける際に、
前記取付具（２）が、バネ棒（９）を最終的に固定する複数対の窪み（１２２、１２３）を有するとともに表側からは視覚的に隠れる部分（１１１，１１２）を有する
ことを特徴とした腕時計ケース。
【請求項８】
請求項７において、
前記腕時計ケース（１１）に、最終的に固定する複数対の窪み（１２２、１２３）の他に複数の窪み（１２１、１２４）を設けて、前記腕時計用バンド（１）の大きさの微調整を行う
ことを特徴とした腕時計ケース。
【発明の詳細な説明】
【技術分野】
【０００１】
本発明は、腕時計用バンド及びその取付具と時計ケースに関する。
【背景技術】
【０００２】
腕時計用バンドは、一般的には、金属製、皮革製、合成樹脂製などが使われている。金属製のバンドは、金属製のコマをピンやバネなどを用いて連結した構成と成っている。また、皮革製バンドは、動物の皮を使ったものである。さらにまた、合成樹脂製は、合成樹脂で皮革などに似せて作ったものである。
これらの腕時計用バンドの端を時計ケースにバネ棒で取り付けて使用している。
【特許文献１】特許第２８１９３９９号
【特許文献２】実公平７−４１３６７号
【特許文献３】実用新案登録第３０３８２５３号
【発明の開示】
【発明が解決しようとする課題】
【０００３】
解決しようとする問題点は、上述したような各種バンドでは、人の肌に直接触れるために、個人差はあるが人によっては各種アレルギー症状がでる。金属については、金属アレルギーであり、皮革製品については、残留化学薬品などがその原因である。
【課題を解決するための手段】
【０００４】
本発明は、従来のバンド材料に比して、人の皮膚に対してアレルギー症状の出にくい材料、例えば、トルマリン石を使用する。それに伴って、腕時計ケースに取り付けるバンドの取付具と時計ケースもそれに合わせて改良した。
本発明は、同一出願人による、先の出願、特願２００３−１２１０８８号を、さらに改良したものである。
【特許文献４】特願２００３−１２１０８８号
【発明の効果】
【０００５】
本発明によると、腕時計のバンドによるアレルギー疾患のある人には、材質選定により問題がなくなる。
また、本発明によると、腕時計用バンドとして、固体であればどのようなものでも、使用可能である。
さらにまた、本発明によると、腕時計のバンドにファッション性をも持たせることができる。
さらにまた、本発明によると、１つの時計（カバー）に複数のバンドを用意して、日替わりでバンドの色を変えることができる。
【発明を実施するための最良の形態】
【０００６】
本発明者は、従来技術とその問題点を詳細に検討した結果、以下の経緯により本発明を完成するに至った。
【実施例１】
【０００７】
＜腕時計用バンド１＞
【０００８】
図１は、本発明による腕時計用バンド１である。
同図（ａ）は表側であり、同図（ｂ）は裏側である。
２つの貫通孔５を作成した略長方体３（３１〜３９）と１つの貫通孔５を作成した球体４を相互に図のように配置する。
それらの孔５に糸状のポリウレタン弾性繊維６（後述）を挿通して、該繊維の端を開口部２２２（後述）で結ぶ（図示せず）などして、前記略長方体３、前記球体４と取付具２（後述）を一体化形成する。
前記ポリウレタン弾性繊維６は、ゴムのように弾力性を持っているため、各人の腕周りの多少の大小には容易に対応できるようになっている。
前記腕時計用バンド１は、その端に前記取付具２を有していて、バネ棒９を貫通孔５１に通すことによって、腕時計ケースに固定される。
＜トルマリン石＞
【０００９】
略長方体３と球体４は、トルマリン石で作る。
その効能については、各種の文献で発表されている。人の肌にふれても、アレルギー症状を呈さない利点がある。
トルマリン石は、電気を発生させることから、電気石とも呼称され、常温においてマイナスイオン、中間赤外線あるいは微弱電流を発生するなどである（実用新案登録公報３０８７２２９号）。
【特許文献５】実用新案登録第３０８７２２９号他にも、トルマリンの効能並びにその応用については、実用新案登録３０２８７３８号、同３０３６６７７号、同３０８６０３３号に述べられている。
【特許文献６】実用新案登録第３０２８７３８号
【特許文献７】実用新案登録第３０３６６７７号
【特許文献８】実用新案登録第３０８６０３３号＜ポリウレタン弾性繊維６＞
【００１０】
ポリウレタン弾性繊維６は、米国ヂュポン社が開発したものでLYCRA（登録商標）として販売されている。
該ポリウレタン弾性繊維６は、化学繊維で「クモの糸のように細く、ゴム糸のように伸び縮みする繊維」と言われている。
前記LYCRAは、伸縮性、耐久性、均一性などにすぐれた特徴を持っている。
本発明では、既述したように、略長方体３、球体４と取付具２に１本のLYCRAを通して各種部品を一体化して、腕時計用バンド１を完成したものである。
＜取付具２＞
【００１１】
前記取付具２を図２に示した。同図（ａ）は表側であり、同図（ｂ）は裏側である。
材質としては、トルマリン石を使用してもよいし、貴石、貴金属、象牙などを使用することも可能である。
腕時計ケースに嵌るために、バネ棒９が貫通する孔５１をつくる。その際、窪５４を形成して、バネ棒９の取り外しなどを容易にする。
さらに、糸状の前記ポリウレタン弾性繊維６が通る孔を図２（ａ）、（ｂ）のようにコの字状に空ける。
まず、開口部２２２を切削加工してほぼ中ほどまで作る（同図［ｂ］）。つぎに、９０度の別の方向から孔５２，５３が前記開口部２２２と交わるまで切削する。該孔５２，５３と開口部２２２の形成は、順序は逆でもよい。
【００１２】
なお、点線で示した孔５５の部分（コの字の「ー」の部分）は、前記ポリウレタン弾性繊維６の通り道を示したもので、前記開口部２２２がその用を成すもので、実際には存在しないものである。
糸状の前記ポリウレタン弾性繊維６を取付具２に通すためには、荷札などに使用する細い針金でガイドすると簡単に該繊維を導くことができる。その際、前記開口部２２２には、前記ポリウレタン弾性繊維６を取付具２の孔に通す際の前記針金の誘導作業をしやすくするため、開放口２２３を設けてある。
＜孔５＞
【００１３】
図３は、ベルトを構成する各種部品に孔５の空けた状態を示したものである。
図３（ａ）は、略長方体３に２つの孔５を空けた状態を示したものである。この孔５に前記ポリウレタン弾性繊維６を挿通する。
図３（ｂ）は、球体４に１つの孔５を空けた状態を示したものである。この孔５に前記ポリウレタン弾性繊維６を挿通する。
＜時計ケース１１＞
【００１４】
図４に示すように、腕時計バンド１は、その端に取付具２を有していて、バネ棒９を貫通孔５１に通すことによって、時計１０のケース１１に固定される。同図には、腕時計バンド１の一部とポリウレタン弾性繊維６を挿通した略長方体３並に球体４を示している。
図５は、前記時計１０並に前記ケース１１を裏側から見たものである。
前記ケース１１に前記取付具２が保持される部分１１１、１１２を設けて、表側からは、該取付具２が保持される部分１１１、１１２に隠れて、該取付具を見えにくくする。バネ棒９は、窪み１２１、１２２、１２３、１２４（反対側は図示せず）に固定される。その際、窪み１２１、１２４は、微調整のためのものである。
図６は、その完成品を示したものである。腕時計バンド１が表から見えるのは、バンド形成部品３，４だけである。
【実施例２】
【００１５】
図７に示すように、球体４だけを使用して、３本の数珠状の腕時計バンド１を形成することも可能である。
その際は、取付具２の孔（実施例１の孔５２、５３に相当）は３つとなり、ポリウレタン弾性繊維６は、その端（取付具）で固定することによって、その機能をはたす。
また、４本の数珠状の時計バンド１を形成することも可能である。
その余の事項は、実施例１と同じ。
【実施例３】
【００１６】
実施例１、２では、糸状のポリウレタン弾性繊維６を前記略長方体３、前記球体４、前記取付具に通して部品を一体化することによって、腕時計用のバンド１を作成した例を示した。
ポリウレタン弾性繊維と同様な特徴を有する材料より成る糸状のものを、前記略長方体３、前記球体４、前記取付具の孔５に挿通することによって各種部品と取付具を一体化することによっても、実施例１、２と同様な効果が計れる。
その余の事項は、実施例１、２と同じ。
【実施例４】
【００１７】
実施例１、２では、略長方体、球体などの各種部品（３，４）、並びに取付具２をトルマリン石で作成する例を示した。しかし、固体であれば、どのようなものでも加工可能であり、腕時計バンドとして利用できる。
その余の事項は、実施例１、２と同じ。
【実施例５】
【００１８】
実施例１、２では、略長方体３又は球体４でバンド状を形成した例について示したが、その他の形状（例、半円柱体、円柱体、半球体など）のものでも数珠状にして行うことができ、腕時計バンドとして利用できる。
その余の事項は、実施例１、２と同じ。
【図面の簡単な説明】
【００１９】
【図１】本発明の腕時計用バンドである。（ａ）は表側であり、（ｂ）裏側である。
【図２】本発明の腕時計用バンドを腕時計に取り付ける取付具を示したものである。（ａ）は表側であり、（ｂ）裏側である。
【図３】本発明の腕時計用バンドを構成する各種部品に孔を空けた状態を示したものである。（ａ）は略長方体であり、（ｂ）は球体である。
【図４】本発明の腕時計用バンドを腕時計に取り付ける各種部品の配置を示したものである。
【図５】本発明の腕時計ケースの裏側である。
【図６】本発明の腕時計用バンドを時計に取り付けた状態を示したものである。
【図７】本発明の他の腕時計用バンドを時計に取り付けた状態を示したものである。
【符号の説明】
【００２０】
１  腕時計用バンド
２、２１、２２  取付具
２２２  外方にさらされた取付具の開口部
２２３  開放口
３、３１〜３９  バンド形成部品
４  バンド形成部品
５  孔
５１、５２、５３  取付具の孔
５４  窪
６  糸状のポリウレタン弾性繊維
９  バネ棒
１０  時計
１１  時計ケース
１１１、１１２  取付具が保持される部分
１２１，１２２，１２３，１２３  バネ棒を時計ケースに取付ける窪み
【図１】
2005040375.tif 000003
【図２】
2005040375.tif 000004
【図３】
2005040375.tif 000005
【図４】
2005040375.tif 000006
【図５】
2005040375.tif 000007
【図６】
2005040375.tif 000008
【図７】
2005040375.tif 000009